(57)【特許請求の範囲】
【請求項１】
第１の設定データを含む第１の作業データを記憶している情報表示装置から前記第１の作業データを受信する第１作業データ受信手段と、
第２の設定データを含む第２の作業データを記憶している第２作業データ記憶手段と、
前記第１の設定データと前記第２の設定データとが異なる場合に、前記受信された第１の作業データを保管データとして登録する保管データ登録手段と、
前記第１の設定データと前記第２の設定データとが異なる場合は、前記保管データを登録した後に前記第２の作業データを前記情報表示装置に送信し、前記第１の設定データと前記第２の設定データとが同じ場合は、前記保管データを登録することなしに、前記第２の作業データを前記情報表示装置に送信する配布データ送信手段と、を備えたことを特徴とする通信機器。
【請求項２】
前記第１の設定データと前記第２の設定データとが異なるか否かを判断する判断手段を備えた、ことを特徴とする請求項１に通信機器。
【請求項３】
前記設定データは、計算モード、角度モード、丸めモードのうち、何れかのモードの設定データを含む、ことを特徴とする請求項１又は請求項２に記載の通信機器。
【請求項４】
前記第１作業データ受信手段は、前記情報表示装置から前記情報表示装置の識別情報と第１の作業データとを受信し、
前記保管データ登録手段は、前記第１作業データ受信手段により受信された前記情報表示装置の識別情報に対応付けて前記第１の作業データを保管データとして登録する、ことを特徴とする請求項１乃至請求項３の何れか１項に記載の通信機器。
【請求項５】
前記保管データ登録手段により登録された保管データを、前記情報表示装置に送信する保管データ送信手段を備えた、ことを特徴とする請求項１乃至請求項４の何れか１項に記載の通信機器。
【請求項６】
前記第１作業データ受信手段及び前記配布データ送信手段は、近距離無線通信手段を備えた、ことを特徴とする請求項１乃至請求項５の何れか１項に記載の通信機器。
【請求項７】
通信機器を制御するための通信方法であって、
第１の設定データを含む第１の作業データを記憶している情報表示装置から前記第１の作業データを受信し、
第２の設定データを含む第２の作業データを記憶し、
前記第１の設定データと前記第２の設定データとが異なる場合に、前記受信された第１の作業データを保管データとして登録し、
前記第１の設定データと前記第２の設定データとが異なる場合は、前記保管データを登録した後に前記第２の作業データを前記情報表示装置に送信し、前記第１の設定データと前記第２の設定データとが同じ場合は、前記保管データを登録することなしに、前記第２の作業データを前記情報表示装置に送信する、ことを特徴とする通信方法。
【請求項８】
通信機器のコンピュータを制御するためのプログラムであって、
前記コンピュータを、
第１の設定データを含む第１の作業データを記憶している情報表示装置から前記第１の作業データを受信する第１作業データ受信手段と、
第２の設定データを含む第２の作業データを記憶している第２作業データ記憶手段と、
前記第１の設定データと前記第２の設定データとが異なる場合に、前記受信された第１の作業データを保管データとして登録する保管データ登録手段、
前記第１の設定データと前記第２の設定データとが異なる場合は、前記保管データを登録した後に前記第２の作業データを前記情報表示装置に送信し、前記第１の設定データと前記第２の設定データとが同じ場合は、前記保管データを登録することなしに、前記第２の作業データを前記情報表示装置に送信する配布データ送信手段、として機能させるためのプログラム。
【請求項９】
第１の設定データを含む第１の作業データを記憶している作業データ記憶手段と、
第２の設定データを含む第２の作業データを記憶している通信機器から前記第２の作業データの送信通知を受信する送信通知受信手段と、
前記送信通知受信手段による送信通知の受信に応じて、前記第１の作業データに含まれる第１の設定データと前記第２の作業データに含まれる第２の設定データとが異なる場合は、前記作業データ記憶手段により記憶した第１の作業データを前記通信機器に送信する作業データ送信手段と、
前記送信通知受信手段による送信通知の受信に応じて、前記第１の作業データに含まれる第１の設定データと前記第２の作業データに含まれる第２の設定データとが異なる場合は、前記作業データ送信手段による送信後に、前記通信機器から第２の作業データを受信し、前記第１の作業データに含まれる第１の設定データと前記第２の作業データに含まれる第２の設定データとが同じ場合は、前記作業データ記憶手段により記憶した第１の作業データを送信せずに、前記通信機器から第２の作業データを受信する作業データ受信手段と、を備えたことを特徴とする情報表示装置。
【請求項１０】
前記第１の作業データに含まれる第１の設定データと前記第２の作業データに含まれる第２の設定データとが異なるか否かを判別する判別手段を、備えたことを特徴とする請求項９に記載の情報表示装置。
【請求項１１】
前記作業データ送信手段は、前記送信通知受信手段による送信通知の受信に応じて前記作業データ記憶手段により記憶した第１の作業データを本装置の識別情報に対応付けて前記通信機器に送信し、
前記作業データ受信手段は、前記作業データ送信手段による送信後に、前記通信機器から第２の作業データを受信し、
前記作業データ受信手段により、前記通信機器から第２の作業データを受信した後に、前記通信機器から前記本装置の識別情報に対応付けられた第１の作業データを受信する返却データ受信手段を備えた、ことを特徴とする請求項９又は請求項１０に記載の情報表示装置。
【請求項１２】
前記作業データ記憶手段により記憶された第１の作業データを表示部に表示させるデータ表示手段と、
ユーザ操作に応じて前記表示部に表示された第１の作業データを消去する表示消去手段と、
前記表示消去手段により前記表示部に表示された第１の作業データが消去された後に、ユーザ操作に応じて、前記作業データ記憶手段により記憶されている第１の作業データを前記表示部に再表示させるデータ再表示手段と、を備えたことを特徴とする請求項９乃至請求項１１の何れか１項に記載の情報表示装置。
【請求項１３】
前記送信通知受信手段及び作業データ送信手段は、近距離無線通信手段を備えた、ことを特徴とする請求項９乃至請求項１２の何れか１項に記載の情報表示装置。
【請求項１４】
情報表示装置を制御するための情報表示方法であって、
第１の設定データを含む第１の作業データを記憶し、
第２の設定データを含む第２の作業データを記憶している通信機器から前記第２の作業データの送信通知を受信し、
前記送信通知の受信に応じて、前記第１の作業データに含まれる第１の設定データと前記第２の作業データに含まれる第２の設定データとが異なる場合は、前記記憶した第１の作業データを前記通信機器に送信し、
前記送信通知の受信に応じて、前記第１の作業データに含まれる第１の設定データと前記第２の作業データに含まれる第２の設定データとが異なる場合は、前記記憶した第１の作業データの送信後に、前記通信機器から第２の作業データを受信し、前記第１の作業データに含まれる第１の設定データと前記第２の作業データに含まれる第２の設定データとが同じ場合は、前記記憶した第１の作業データを送信せずに、前記通信機器から第２の作業データを受信する、ことを特徴とする情報表示方法。
【請求項１５】
情報表示装置のコンピュータを制御するためのプログラムであって、
前記コンピュータを、
第１の設定データを含む第１の作業データを記憶している作業データ記憶手段と、
第２の設定データを含む第２の作業データを記憶している通信機器から前記第２の作業データの送信通知を受信する送信通知受信手段と、
前記送信通知受信手段による送信通知の受信に応じて、前記第１の作業データに含まれる第１の設定データと前記第２の作業データに含まれる第２の設定データとが異なる場合は、前記作業データ記憶手段により記憶した第１の作業データを前記通信機器に送信する作業データ送信手段、
前記送信通知受信手段による送信通知の受信に応じて、前記第１の作業データに含まれる第１の設定データと前記第２の作業データに含まれる第２の設定データとが異なる場合は、前記作業データ送信手段による送信後に、前記通信機器から第２の作業データを受信し、前記第１の作業データに含まれる第１の設定データと前記第２の作業データに含まれる第２の設定データとが同じ場合は、前記作業データ記憶手段により記憶した第１の作業データを送信せずに、前記通信機器から第２の作業データを受信する作業データ受信手段、として機能させるためのコンピュータ読み込み可能なプログラム。
【発明の詳細な説明】
【技術分野】
【０００１】
本発明は、情報表示装置に作業データをダウンロードするための通信機器、情報表示装置、通信方法、情報表示方法、及びプログラムに関する。
【背景技術】
【０００２】
従来、グラフ関数電卓等のメモリ容量が比較的大きい情報表示装置において、適宜、学習したい内容のデータを先生が入力して作業データとして保存し、その作業データをＰＣ（パソコン）にバックアップする。そして、前記ＰＣにバックアップした作業データを各生徒のグラフ関数電卓に読み出して利用する仕組みが実現されている。
【０００３】
従来の電子機器（関数電卓）において、外部機器（汎用ＰＣ）との通信接続中には、ＲＡＭに記憶されている自装置で処理可能なデータグループを前記外部機器で処理可能なファイルに変換してストレージに記憶させる。そして、前記通信接続が切断された際には、前記ストレージに記憶されたファイルをデータグループに変換して前記ＲＡＭに記憶させる。これにより、前記電子機器で扱う情報を容易に外部機器で処理可能にすることが考えられている（例えば、特許文献１参照。）。
【先行技術文献】
【特許文献】
【０００４】
【特許文献１】特許第５４８８１０４号公報
【発明の概要】
【発明が解決しようとする課題】
【０００５】
前記グラフ関数電卓等のメモリ容量が比較的大きい情報表示装置では、入力済みの作業データを残しつつ、他の作業データを読み込んで利用することも可能である。
【０００６】
しかしながら、メモリ容量が限られた機種の情報表示装置では、入力済みの作業データを消去しないと、他の作業データを保存して利用することができない。
【０００７】
本発明は、このような課題に鑑みなされたもので、メモリ容量が限られた情報表示装置であっても、入力済みの作業データを適切に保管して、新たな作業データを利用することが可能になる通信機器、情報表示装置、通信方法、情報表示方法、及びプログラムを提供することを目的とする。
【課題を解決するための手段】
【０００８】
本発明に係る通信機器は、第１の設定データを含む第１の作業データを記憶している情報表示装置から前記第１の作業データを受信する第１作業データ受信手段と、第２の設定データを含む第２の作業データを記憶している第２作業データ記憶手段と、前記第１の設定データと前記第２の設定データとが異なる場合に、前記受信された第１の作業データを保管データとして登録する保管データ登録手段と、前記第１の設定データと前記第２の設定データとが異なる場合は、前記保管データを登録した後に前記第２の作業データを前記情報表示装置に送信し、前記第１の設定データと前記第２の設定データとが同じ場合は、前記保管データを登録することなしに、前記第２の作業データを前記情報表示装置に送信する配布データ送信手段と、を備えたことを特徴としている。
【０００９】
本発明に係る情報表示装置は、第１の設定データを含む第１の作業データを記憶している作業データ記憶手段と、第２の設定データを含む第２の作業データを記憶している通信機器から前記第２の作業データの送信通知を受信する送信通知受信手段と、前記送信通知受信手段による送信通知の受信に応じて、前記第１の作業データに含まれる第１の設定データと前記第２の作業データに含まれる第２の設定データとが異なる場合は、前記作業データ記憶手段により記憶した第１の作業データを前記通信機器に送信する作業データ送信手段と、前記送信通知受信手段による送信通知の受信に応じて、前記第１の作業データに含まれる第１の設定データと前記第２の作業データに含まれる第２の設定データとが異なる場合は、前記作業データ送信手段による送信後に、前記通信機器から第２の作業データを受信し、前記第１の作業データに含まれる第１の設定データと前記第２の作業データに含まれる第２の設定データとが同じ場合は、前記作業データ記憶手段により記憶した第１の作業データを送信せずに、前記通信機器から第２の作業データを受信する作業データ受信手段と、を備えたことを特徴としている。
【発明の効果】
【００１０】
本発明によれば、メモリ容量が限られた情報表示装置であっても、入力済みの作業データを適切に保管して、新たな作業データを利用することが可能になる。
【図面の簡単な説明】
【００１１】
【図１】本発明の実施形態に係る情報表示装置としての関数電卓１０Ｆと通信機器としてのタブレット端末２０の利用形態を示す模式図。
【図２】情報表示装置（１０Ｆ／１０Ｄ）と通信機器２０との間で使用する無線通信手段の実施例を示す図。
【図３】前記情報表示装置としての関数電卓１０Ｆの電子回路の構成を示すブロック図。
【図４】前記通信機器２０の電子回路の構成を示すブロック図。
【図５】前記関数電卓１０Ｆの情報表示制御処理を示すフローチャート。
【図６】前記関数電卓１０Ｆの情報表示制御処理に対する通信割込み処理を示すフローチャート。
【図７】前記タブレット端末２０の専用アプリケーションプログラムに従った通信処理（その１）を示すフローチャート。
【図８】前記タブレット端末２０の専用アプリケーションプログラムに従った通信処理（その２）を示すフローチャート。
【図９】前記関数電卓１０Ｆ（教師用１０ＦＡ）の情報表示制御処理に従った数表計算モードでの動作状態とタブレット端末２０の動作状態を示す図。
【図１０】前記関数電卓１０Ｆ（生徒用１０ＦＢ）の情報表示制御処理に従った基本計算モードでの動作状態とタブレット端末２０の動作状態を示す図。
【発明を実施するための形態】
【００１２】
以下図面により本発明の実施の形態について説明する。
【００１３】
図１は、本発明の実施形態に係る情報表示装置としての関数電卓１０Ｆと通信機器としてのタブレット端末２０の利用形態を示す模式図である。
【００１４】
前記関数電卓１０Ｆは、その携帯性の必要からユーザが片手で十分把持し片手で操作可能な小型サイズからなり、この関数電卓１０Ｆの本体正面にはキー入力部１１および表示出力部１２が設けられる。
【００１５】
前記キー入力部１１には、数値や数式を入力したり計算の実行を指示したりするための数値・演算記号キー群１１１、各種の関数を入力したりメモリ機能を立ち上げたりするための関数機能キー群１１２、各種動作モードのメニュー画面を表示させたり動作モードの設定を指示したりするためのモード設定キー群１１３、前記表示出力部１２に表示されたカーソルの移動操作やデータ項目の選択操作などを行うためのカーソルキー１１４が備えられる。
【００１６】
前記数値・演算記号キー群１１１としては、［０］〜［９］（数値）キー、［＋］［−］［×］［÷］（四則記号）キー、［Ａｎｓ］［＝］（実行）キー、［ＡＣ］（クリア）キーなどが配列される。
【００１７】
前記関数機能キー群１１２としては、［ｘ-1］（−１乗；逆数）キーをはじめ、［√□］（ルート）キー、［□／□］（分数）キー、［ｓｉｎ］（サイン）キー、［Ｍ＋］（メモリプラス）キー、［ＯＰＴＮ］（オプション）キー、［ＲＣＬ］（メモリ呼び出し）キーなどが配列される。
【００１８】
前記モード設定キー群１１３としては、［ＭＯＤＥ］（モード）キー、［ＳＨＩＦＴ］（シフト）キー、［ＡＬＰＨＡ］（アルファベット）キー、［ＯＮ］（電源オン）キーなどが配列される。
【００１９】
なお、前記数値・演算記号キー群１１１や関数機能キー群１１２のキーは、［ＳＨＩＦＴ］キーが操作された後に続けて操作されることで、そのキートップに記載されたキー機能ではなく、そのキーの上方に記載されたキーとして機能できるようになっている。例えば、［ＳＨＩＦＴ］キー操作後に［ＡＣ］キーが操作（以下、［ＳＨＩＦＴ］＋［ＡＣ］キー等と記す。）されると［ＯＦＦ］（電源オフ）キーとなる。［ＳＨＩＦＴ］＋［ＯＰＴＮ］キーは［ＱＲ／通信］キー１１Ｑとなり、［ＳＨＩＦＴ］＋［ＲＣＬ］キーは［ＳＴＯ］（メモリ登録）キーとなる。
【００２０】
前記表示出力部１２は、ドットマトリクス型の液晶表示ユニットからなる。
【００２１】
前記タブレット端末２０は、カメラ付きのタブレット端末２０であり、タッチ入力部としても機能する表示出力部２１を備えている。
【００２２】
前記関数電卓１０Ｆは、無線通信手段を有し、前記タブレット端末２０からの指示に応じて、当該関数電卓１０Ｆにおける作業データを前記タブレット端末２０に送信してアップロードＵＰする機能、前記タブレット端末２０から送信された作業データを受信してダウンロードＤＮする機能を備えている。
【００２３】
前記作業データは、前記関数電卓１０Ｆの計算機能に基づき設定された計算モード，角度モード，丸めモードを含む設定データと、ユーザ操作に応じて入力された計算式，数値（表）を含む入力データとを含んでいる。
【００２４】
また、前記関数電卓１０Ｆは、前記［ＱＲ／通信］キー１１Ｑの操作に応じて、前記作業データを２次元コード（ＱＲコード（登録商標））Ｑ（図３参照）に変換して表示させる機能、当該２次元コードＱとして表示された前記作業データを前記無線通信手段の通信データにセットする機能を備えている。
【００２５】
前記タブレット端末２０は、無線通信手段を有し、前記関数電卓１０ＦからアップロードＵＰされて受信した作業データを配布データ又は保管データとして保存する機能、前記配布データ又は保管データとして保存された作業データを前記関数電卓１０Ｆへ送信してダウンロードＤＮする機能を備えている。
【００２６】
前記タブレット端末２０は、前記関数電卓１０ＦからアップロードＵＰされた作業データの受信を完了すると、受信完了メッセージｍを表示出力部２１に表示する。
【００２７】
また、前記タブレット端末２０は、前記関数電卓１０Ｆに表示された２次元コード（ＱＲコード）Ｑ（図４参照）を撮影し、当該２次元コードに対応した作業データを前記配布データ又は保管データとして保存する機能も備えている。
【００２８】
さらに、前記タブレット端末２０は、前記保存された作業データを通信ネットワーク（Ｗｅｂ）Ｎ上の計算サーバ３０に送信し、当該計算サーバ３０により前記作業データに応じて作成された計算参考情報としての画像データを受信して表示する機能を備えている。
【００２９】
なお、前記情報表示装置は、前記関数電卓１０Ｆに限定されるものではなく、電子辞書装置１０Ｄ（図２（Ｂ）参照）等として構成され得る。
【００３０】
前記電子辞書装置１０Ｄの作業データは、当該電子辞書装置１０Ｄの検索モード（英和検索／和英検索／英英検索／ジャンプ検索等）を含む設定データと、ユーザ操作に応じて入力された辞書，検索語を含む入力データとを含んでいる。
【００３１】
また、前記通信機器は、前記タブレット端末２０に限定されるものではなく、ＰＤＡ（personal digital assistants）、スマートフォン、ノートＰＣ（personal computer）、ゲーム機等として構成され得る。
【００３２】
次に、前記情報表示装置としての関数電卓１０Ｆや電子辞書装置１０Ｄと、前記通信機器２０との間で通信接続を行なうための無線通信手段について説明する。
【００３３】
図２は、前記情報表示装置（１０Ｆ／１０Ｄ）と通信機器２０との間で使用する無線通信手段の実施例を示す図である。
【００３４】
前記無線通信手段としては、図２（Ａ）に示すようなBluetooth(登録商標)等の近距離無線通信、図２（Ｂ）に示すようなＮＦＣ等の近距離無線通信、図２（Ｃ）に示すようなＷｉｆｉ（登録商標）等の無線ＬＡＮによる近距離無線通信、その他の近距離無線通信の何れを使用してもよい。
【００３５】
前記図２（Ａ）で示すBluetooth等の近距離無線通信を使用した場合、前記情報表示装置（１０Ｆ）の所定のキー（ボタン）を押下して周辺にある通信機器２０への無線による呼掛けを行なう。すると、前記通信機器２０において、通信可能な前記情報表示装置（１０Ｆ）を含む相手機器が一覧表示され、前記一覧表示された相手機器の中から前記情報表示装置（１０Ｆ）を選択して指定“Ｔａｐ”することで、前記情報表示装置（１０Ｆ）と通信機器２０とのペアリングが実行され互いに通信接続Ｐされる。
【００３６】
また、前記図２（Ｂ）で示すＮＦＣ等の近距離無線通信は、通信機器２０からの磁界に応じた誘導電流により無線通信を行なう無線通信手段である。
【００３７】
例えば、前記情報表示装置（電子辞書装置１０Ｄ）に内蔵したＮＦＣタグには、前記通信機器２０の近距離無線通信部（無線リーダ・ライタ）２８から発生される磁界Ｗｍに応じて誘導電流が流れるコイルアンテナＡＴと、前記コイルアンテナＡＴに流れる誘導電流を起電力として動作するＩＣチップＩＴとが備えられる。前記情報表示装置（電子辞書装置１０Ｄ）のＣＰＵ１３は、前記ＮＦＣタグのＩＣチップＩＴと有線接続され、前記ＩＣチップＩＴのデータを直接読み書きできる有線リーダ・ライタ機能を備える。これにより、前記情報表示装置（電子辞書装置１０Ｄ）のＮＦＣタグと前記通信機器２０の近距離無線通信部（無線リーダ・ライタ）２８との間で無線通信Ｓｉが行われる。
【００３８】
また、前記図２（Ｃ）で示すＷｉｆｉ等の無線ＬＡＮによる近距離無線通信を使用した場合、ＷｉｆｉルータＲｗにより無線ＬＡＮに接続された各通信機器（情報表示装置１０Ｆ／通信機器２０／パーソナルコンピュータＰＣ／ゲーム機ＨＧ等）のうち、例えば予め設定された相手の通信機器とのみペアリングが実行され互いに通信接続Ｐされるか、相手の通信機器と軽くぶつける等の衝撃を検知して相手の通信機器とのペアリングが実行され互いに通信接続Ｐされる。
【００３９】
図３は、前記情報表示装置としての関数電卓１０Ｆの電子回路の構成を示すブロック図である。
【００４０】
なお、前記情報表示装置としての電子辞書装置１０Ｄの電子回路の説明は、本実施形態に関わる部分について、前記関数電卓１０Ｆの電子回路と略同様であるため省略する。
【００４１】
前記関数電卓１０Ｆの電子回路は、前記キー入力部１１及び前記表示出力部１２に加えて、コンピュータである前記ＣＰＵ１３と、メモリ１４と、記録媒体読取部１５と、無線通信部１６とを備えている。
【００４２】
前記ＣＰＵ１３は、前記メモリ１４に記憶されている表示制御プログラム１４ａに従い回路各部の動作を制御し、前記キー入力部１１からのキー入力信号に応じた各種の演算処理を実行する。前記表示制御プログラム１４ａは、前記メモリ１４に予め記憶されていても良いし、あるいはメモリカード等の外部記録媒体Ｍから前記記録媒体読取部１５を介して前記メモリ１４に読み込まれて記憶されたものであっても良い。前記表示制御プログラム１４ａは、ユーザがキー入力部１１の操作によって書き換えできないようになっている。
【００４３】
前記メモリ１４には、さらに、ユーザ書き換え不可能な情報として、固有ＩＤ１４ｂも記憶される。前記固有ＩＤ１４ｂは、各関数電卓１０Ｆ…に独特なＩＤ（識別情報）である。
【００４４】
前記メモリ１４には、このようなユーザ書き換え不可能な情報の他に、ユーザが書き換え可能なデータを記憶するために、設定データエリア１４ｃ、入力データエリア１４ｄ、計算結果データエリア１４ｅ、ＱＲデータエリア１４ｆが確保されている。
【００４５】
前記設定データエリア１４ｃには、初期設定又はユーザ操作に応じて設定された計算モード（基本計算／数表計算／行列計算／統計計算等）、角度モード（度数法（Ｄ）／弧度法（Ｒ）／グラード（Ｇ））、丸めモード（小数点以下桁数四捨五入（Ｆｉｘ）、有効桁数（Ｓｃｉ）等）、表示モード（数式自然表示／ライン表示）を含む設定データが記憶される。
【００４６】
前記入力データエリア１４ｄには、前記キー入力部１１によりキー入力されたキーコードのデータが順次入力され、これにより構成される計算式、数値（表）、変数等の入力データが記憶される。例えば数値キーは数字を示すコードで、「ｓｉｎ」などの関数キーはその関数を示すコードで、「＋」「−」「×」「÷」などの算術記号キーはその算術記号を示すコードで記憶される。また、前記入力データエリア１４ｄには、Ａ，Ｂ，Ｃ，Ｄ，Ｅ，Ｆ，Ｍ，Ｘ，Ｙの９つの文字に対して個別に登録される異なる数値などの変数も記憶される。例えば、前記キー入力部１１の［３］キー，［ＳＨＩＦＴ］＋［ＲＣＬ］キー（＝［ＳＴＯ］キー），［（−）］キー（＝［Ａ］キー）というキー操作を行うことで変数Ａに数値「３」が登録される。
【００４７】
前記計算結果データエリア１４ｅには、前記設定データと入力データに応じて計算実行された計算結果データが記憶される。
【００４８】
前記ＱＲデータエリア１４ｆには、前記設定データと入力データを含む（計算結果データがある場合はそれも含む）当該関数電卓１０Ｆの作業データが、前記［ＱＲ／通信］キー１１Ｑの操作に従い２次元コード（ＱＲコード）Ｑに変換され、当該２次元コードＱに変換したデータ（ＱＲデータ）が記憶される。
【００４９】
前記無線通信部１６は、前記図３を参照して説明したように、Bluetooth、ＮＦＣ、Ｗｉｆｉ等の前記通信機器２０と無線通信する機能を備えている。
【００５０】
このように構成された前記情報表示装置としての関数電卓１０Ｆは、前記ＣＰＵ１３が前記表示制御プログラム１４ａに記述された命令に従い回路各部の動作を制御し、ソフトウエアとハードウエアとが協働して動作することにより、後述の動作説明で述べるような、前記作業データを前記通信機器２０に送信してアップロードＵＰする機能、前記通信機器２０に保存されている作業データを受信してダウンロードＤＮする機能を実現する。
【００５１】
前記通信機器２０は、前記関数電卓１０Ｆの無線通信部１６と近距離無線通信により通信接続して前記関数電卓１０Ｆから送信されてアップロードＵＰされた作業データを受信するか、前記関数電卓１０Ｆの表示出力部１２に表示出力された２次元コードＱを撮影することで、前記関数電卓１０Ｆの作業データを取得して保存する。
【００５２】
図４は、前記通信機器２０の電子回路の構成を示すブロック図である。
【００５３】
前記通信機器２０の電子回路は、前記表示出力部２１、前記近距離無線通信部２８に加えて、コンピュータであるＣＰＵ２２と、メモリ２３と、記録媒体読取部２４と、前記表示出力部２１に重ねて一体化したタッチ入力部２５と、カメラ部２６と、無線通信部２７とを備えている。なお、前記タッチ入力部２５は電源キー等のキー入力部を含んでも良い。
【００５４】
前記ＣＰＵ２２は、前記メモリ２３に記憶されている通信機器制御プログラム２３ａ、ＱＲコードリーダプログラム２３ｂ、ＥＤＵＣＡＴＩＯＮプログラム２３ｃに従い、前記タッチ入力部２５からのタッチ（又はキー）入力信号、あるいは前記無線通信部２７や前記近距離無線通信部２８による受信信号に応じて回路各部の動作を制御する。前記各プログラム２３ａ，２３ｂ，２３ｃは、前記メモリ２３に予め記憶されていても良いし、あるいはメモリカード等の外部記録媒体Ｍから前記記録媒体読取部２４を介して前記メモリ２３に読み込まれて記憶されたものであっても良い。
【００５５】
前記ＱＲコードリーダプログラム２３ｂは、前記２次元コードＱ（本実施形態ではＱＲコード）を撮影し、撮影した２次元コードＱのデータ（ＱＲデータ：本実施形態では作業データ）を取得するための汎用のアプリケーションプログラムである。
【００５６】
前記ＥＤＵＣＡＴＩＯＮプログラム２３ｃは、前記関数電卓１０Ｆと前記近距離無線通信部２８により通信接続して当該関数電卓１０ＦからアップロードＵＰされた作業データを配布データ又は保管データとして保存したり、当該保存された作業データを前記関数電卓１０ＦにダウンロードＤＮしたり、前記計算サーバ３０と前記無線通信部２７により通信接続して前記保存された作業データを前記計算サーバ３０に送信したり、当該計算サーバ３０により前記送信した作業データに応じて作成された計算参考情報としての画像データを受信して表示出力したりするための専用のアプリケーションプログラムである。
【００５７】
前記メモリ２３には、前記ＥＤＵＣＡＴＩＯＮプログラム２３ｃに従い前記関数電卓１０ＦからアップロードＵＰされた作業データを配布データ又は保管データとして、当該関数電卓１０Ｆのユーザ名と固有ＩＤに対応付けて記憶して保存するバックアップデータエリア２３ｄ、その他の作業データを必要に応じて一時的に記憶するワークデータエリア２３ｅが確保される。
【００５８】
このように構成された前記通信機器２０は、前記ＣＰＵ２２が前記通信機器制御プログラム２３ａ、前記ＱＲコードリーダプログラム２３ｂ、前記ＥＤＵＣＡＴＩＯＮプログラム２３ｃに記述された命令に従い回路各部の動作を制御し、ソフトウエアとハードウエアとが協働して動作することにより、後述の動作説明で述べるような、前記関数電卓１０ＦからアップロードＵＰされた作業データを配布データ又は保管データとして保存する機能、当該配布データ又は保管データとして保存した作業データを前記関数電卓１０ＦにダウンロードＤＮする機能を実現する。
【００５９】
次に、前記構成の情報表示装置としての関数電卓１０Ｆと通信機器としてのタブレット端末２０の動作について説明する。
【００６０】
図５は、前記関数電卓１０Ｆの情報表示制御処理を示すフローチャートである。
【００６１】
図６は、前記関数電卓１０Ｆの情報表示制御処理に対する通信割込み処理を示すフローチャートである。
【００６２】
図７、図８は、前記タブレット端末２０の専用アプリケーションプログラムに従った通信処理（その１、その２）を示すフローチャートである。
【００６３】
図９は、前記関数電卓１０Ｆ（教師用１０ＦＡ）の情報表示制御処理に従った数表計算モードでの動作状態とタブレット端末２０の動作状態を示す図である。
【００６４】
ここでは、教師用の関数電卓（情報表示装置）１０ＦＡにより後述の生徒用の関数電卓（情報表示装置）１０ＦＢに配布して学習させるための作業データを作成し、作成した作業データを配布データとしてタブレット端末（通信機器）２０にアップロードＵＰして保存する動作について説明する。
【００６５】
前記教師用の関数電卓１０ＦＡにおいて、図９（Ａ１）に示すように、［ＳＨＩＦＴ］＋［ＳＥＴ  ＵＰ］キーを操作してモード設定のメニュー画面Ｇｍを表示させる。前記メニュー画面Ｇｍにおいて、図９（Ａ２）に示すように、［３］キーを操作して表示桁数（丸めモード）の設定画面Ｇｋを表示させる。続いて［１］キーを操作して小数点以下指定桁四捨五入（Ｆｉｘ）を指定し、［３］キーを操作して小数点３桁以下四捨五入を選択する。すると、前記丸めモード（小数点３桁以下四捨五入）、表示モード（初期設定：数学自然表示）、角度モード（初期設定：度数法（Ｄ））を含む基本設定データが設定され、前記設定データエリア１４ｃに記憶される（ステップＳ１）。
【００６６】
また、計算モードを数表計算モードに設定すると、当該設定された計算モード（数表計算）も前記設定データエリア１４ｃに記憶される（ステップＳ２）。
【００６７】
そして、図９（Ａ３）（Ａ４）に示すように、関数式「ｆ（ｘ）＝ｓｉｎ（ｘ）」と「ｇ（ｘ）＝ｃｏｓ（ｘ）」を入力し、また、図９（Ａ５）に示すように、前記数表計算の範囲「０〜３６０」とステップ値「３０」を入力し、前記表示出力部１２に表示させると（ステップＳ３〜Ｓ５）、前記入力された各関数式、数表計算の範囲、ステップ値が、前記入力データエリア１４ｄに記憶される。
【００６８】
ここで、図９（Ａ６）に示すように、［＝］キーの操作により前記設定データエリア１４ｃに記憶された設定データと前記入力データエリア１４ｄに記憶された入力データとに応じた計算が実行されると（ステップＳ７（Ｙｅｓ））、前記数表計算の範囲のステップ値毎に計算されたｆ（ｘ）とｇ（ｘ）の数値を数表にした計算結果データが表示出力部１２に表示される（ステップＳ８）。そして、前記教師用の関数電卓１０ＦＡにより計算処理した前記設定データと入力データと計算結果データが表示された状態で、後述の通信割込み処理図６により前記タブレット端末２０からのアップロード通知が受信されると（ステップＤ１（Ｙｅｓ））、前記無線通信部１６の通信データにセットされているＱＲデータ（固有ＩＤ＋作業データ）が配布データとして前記タブレット端末２０に送信される（ステップＤ２）。そして、前記教師用の関数電卓１０ＦＡにより計算処理した前記設定データと入力データと計算結果データを含む作業データを、後述する生徒用の関数電卓１０ＦＢに対する配布データとして前記タブレット端末２０にバックアップすることができる。
【００６９】
なお、図９（Ａ７）に示すように、前記［ＱＲ／通信］キー１１Ｑを操作した場合には（ステップＳ９（Ｙｅｓ））、前記教師用関数電卓１０ＦＡの固有ＩＤと前記作業データが前記ＱＲデータとして前記ＱＲデータエリア１４ｆに記憶され保存される（ステップＳ１０）。
【００７０】
すると、前記ＱＲデータ（固有ＩＤ＋作業データ）に対応した２次元コード（ＱＲコード）Ｑが作成され、表示出力部１２に表示される（ステップＳ１１）。
【００７１】
また、前記ＱＲデータ（固有ＩＤ＋作業データ）は前記無線通信部１６の通信データとしてセットされ、前記専用アプリケーションプログラム（ＥＤＵＣＡＴＩＯＮプログラム２３ｃ）を起動したタブレット端末２０に送信されたか否か判断される（ステップＳ１３）。
【００７２】
この際、前記関数電卓１０ＦＡの表示出力部１２には、前記タブレット端末（通信機器）２０に対して前記ＱＲデータ（固有ＩＤ＋作業データ）を送信可能な状態であることを示す通信可能メッセージ［無線通信可］ｍｃを表示させてもよい。
【００７３】
ここで、前記無線通信部１６に通信データとしてセットされたＱＲデータ（固有ＩＤ＋作業データ）が前記タブレット端末２０に送信されたと判断された場合は（ステップＳ１３（Ｙｅｓ））、前記図９（Ａ６）で示した計算結果データの表示状態に戻る（ステップＳ８）。
【００７４】
一方、例えば、前記図９（Ａ７）で示した２次元コード（ＱＲコード）Ｑを前記タブレット端末２０のカメラ部２６により撮影することで、当該２次元コードＱのデータである前記ＱＲデータ（固有ＩＤ＋作業データ）を当該タブレット端末２０で取得した後に、前記関数電卓１０ＦＡの［ＱＲ／通信］キー１１Ｑを再操作するか、又は［ＡＣ］キーを操作した場合も、前記図９（Ａ６）で示した計算結果データの表示状態に戻る（ステップＳ８）。
【００７５】
なお、前記関数電卓１０ＦＡにおいて、計算モードが統計計算モードに設定され、統計計算の対象となる数値が入力されて表示された状態で、前記［ＱＲ／通信］キー１１Ｑが操作された場合は（ステップＳ１〜Ｓ５，Ｓ６（Ｙｅｓ））、当該関数電卓１０ＦＡの固有ＩＤと前記統計計算モードでの設定データと入力データを含む作業データとがＱＲデータとして前記ＱＲデータエリア１４ｆに記憶され保存される（ステップＳ１２）。
【００７６】
そして、前記同様に、前記ＱＲデータ（固有ＩＤ＋作業データ）に対応した２次元コード（ＱＲコード）Ｑが作成され、表示出力部１２に表示される（ステップＳ１１）。
【００７７】
前記統計計算モードで前記無線通信部１６に通信データとしてセットされたＱＲデータ（固有ＩＤ＋作業データ）が前記タブレット端末２０に送信されたと判断された場合（ステップＳ１３（Ｙｅｓ））、又は前記［ＱＲ／通信］キー１１Ｑが再操作されたか［ＡＣ］キーが操作された場合は、前記統計計算の数値が入力されて表示された状態に戻る（ステップＳ５）。
【００７８】
前記図９（Ａ１）〜（Ａ７）で示したように、前記教師用の関数電卓１１ＦＡにおいて計算処理された数表計算モードでの作業データと固有ＩＤを含む２次元コード（ＱＲコード）Ｑが表示され、また前記２次元コードＱのデータ（ＱＲデータ）が無線通信部１６の通信データにセットされた状態で、図９（Ｂ１）に示すように、前記タブレット端末２０において、専用アプリ選択画面Ｇｅに表示されたＥＤＵＣＡＴＩＯＮアイコンＣｅをタッチ操作して前記専用アプリケーションプログラム（ＥＤＵＣＡＴＩＯＮプログラム２３ｃ）を起動させる。
【００７９】
すると、前記タブレット端末２０において、図７，図８で示す通信処理が開始され、「アップロードモード」と「ダウンロードモード」と「バックアップデータ返却モード」の選択項目を並べたモード選択メニュー（図示せず）が表示される（ステップＴ１／Ｔ１３／Ｔ２５）。
【００８０】
前記「アップロードモード」は、前記教師用の関数電卓１０ＦＡにて計算処理された作業データを、前記タブレット端末２０にアップロードＵＰさせて受信し、配布データとして保存するためのモードである。
【００８１】
前記「ダウンロードモード」は、後述の生徒用の関数電卓１０ＦＢにて計算処理された作業データを必要に応じて受信し保管データとして保存した後に、前記「アップロードモード」で保存された配布データを前記生徒用の関数電卓１０ＦＢに送信して配布するためのモードである。
【００８２】
前記「バックアップデータ返却モード」は、前記「ダウンロードモード」で保存された保管データを前記生徒用の関数電卓１０ＦＢに送信して返却するためのモードである。
【００８３】
このように、前記タブレット端末２０で表示されたモード選択メニューにおいて、前記「アップロードモード」が選択され、図９（Ｂ２）に示すように、当該タブレット端末２０を前記教師用の関数電卓１０ＦＡに接近させて通信接続させると（ステップＴ１（Ｙｅｓ））、当該タブレット端末２０から前記教師用の関数電卓１０ＦＡに対して、アップロード通知（前記関数電卓１０ＦＡ内の作業データを配布データとして受信したい旨の通知）が行われる（ステップＴ２）。
【００８４】
前記教師用の関数電卓１０ＦＡにおいて、前記タブレット端末２０からのアップロード通知が受信されると（ステップＤ１（Ｙｅｓ））、前記無線通信部１６の通信データにセットされているＱＲデータ（固有ＩＤ＋作業データ）が配布データとして前記タブレット端末２０に送信される（ステップＤ２）。
【００８５】
前記タブレット端末２０において、前記教師用の関数電卓１０ＦＡから送信されたＱＲデータ（固有ＩＤ＋作業データ）が受信されると（ステップＴ３）、受信完了メッセージｍが表示され、当該受信された前記関数電卓１０ＦＡの固有ＩＤに対応するユーザ名が前記メモリ２３内に既に登録されているか否か判断される（ステップＴ４）。
【００８６】
前記教師用の関数電卓１０ＦＡの固有ＩＤに対応するユーザ名が前記メモリ２３内に登録されていないと判断されると（ステップＴ４（Ｎｏ））、ユーザ操作に応じて入力された前記教師用の関数電卓１０ＦＡのユーザ名（例えば「まりこ先生」）が前記受信された当該関数電卓１０ＦＡの固有ＩＤと対応付けて前記メモリ２３内に登録される（ステップＴ５，Ｔ６）。
【００８７】
すると、前記教師用の関数電卓１０ＦＡから受信された固有ＩＤと前記ユーザ名と受信日時とに対応付けて、前記受信された作業データが、前記バックアップデータエリア２３ｄに配布データとして記憶され保存される（ステップＴ７）。
【００８８】
なお、前記バックアップデータエリア２３ｄは、前記通信ネットワーク（Ｗｅｂ）Ｎ上にある計算サーバ３０のメモリエリアに確保してもよい。
【００８９】
このように、前記教師用の関数電卓１０ＦＡから受信された作業データが前記バックアップデータエリア２３ｄに配布データとして保存されると、図９（Ｂ３）に示すように、当該バックアップデータエリア２３ｄに保存されている配布データを含むバックアップデータ一覧ＬＢが、ユーザ名と受信日時とに対応付けられて表示される（ステップＴ８）。
【００９０】
ここで、前記バックアップデータエリア２３ｄに保存された配布データについて、当該配布データの内容を確認するために、前記表示されたバックアップデータ一覧ＬＢの中で確認したい何れかの配布データが指定されると（ステップＴ９（Ｙｅｓ））、当該指定された配布データが前記無線通信部２７から前記通信ネットワーク（Ｗｅｂ）Ｎ上の計算サーバ３０へ送信される（ステップＴ１０）。
【００９１】
すると、前記計算サーバ３０において前記配布データの内容である前記教師用関数電卓１０ＦＡでの作業データ（ここでは、前記数表計算モードでの計算式ｆ（ｘ），ｇ（ｘ）に応じて計算処理した際の設定データと入力データと計算結果データを含む作業データ（図９（Ａ１）〜（Ａ６）参照））に応じて作成された計算参考情報としての画像データ（ここでは、前記計算式「ｆ（ｘ）＝ｓｉｎ（ｘ）」「ｇ（ｘ）＝ｃｏｓ（ｘ）」のＩｎｐｕｔ／Ｏｕｔｐｕｔ画面Ｇｉｏを上段、前記計算結果に応じたＧｒａｐｈ画面Ｇｇを下段に配した画像データ）が前記タブレット端末２０に受信され、図９（Ｂ４）に示すように、表示出力部２１に表示される（ステップＴ１１）。
【００９２】
なおここでは、前記バックアップデータ一覧ＬＢに表示された何れかの配布データ又は保管データが指定される都度、当該配布データ又は保管データの内容に応じた計算参考情報としての画像データが前記計算サーバ３０にて作成され、当該作成された画像データが前記タブレット端末２０に受信されて表示される（ステップＴ９〜Ｔ１２）。
【００９３】
これにより、前記バックアップデータエリア２３ｄに保存された配布データの内容について、前記計算サーバ３０を使用して容易に確認することができ、後述する生徒用の関数電卓１０ＦＢに対して配布の対象とする配布データを正確に指定できるようになる。
【００９４】
図１０は、前記関数電卓１０Ｆ（生徒用１０ＦＢ）の情報表示制御処理に従った基本計算モードでの動作状態とタブレット端末２０の動作状態を示す図である。
【００９５】
ここでは、前記タブレット端末（通信機器）２０に保存された配布データを生徒用の関数電卓（情報表示装置）１０ＦＢに配布する際に、当該生徒用の関数電卓１０ＦＢで計算処理された作業データを前記タブレット端末２０にバックアップして保管した後に、前記配布データを前記生徒用の関数電卓１０ＦＢにダウンロードＤＮして配布する動作について説明する。
【００９６】
前記生徒用の関数電卓１０ＦＢにおいて、図１０（Ａ１）（Ａ２）に示すように、前記モード設定のメニュー画面Ｇｍから［１：入力／出力］を選択して表示モード設定画面Ｇｄを表示させ、初期設定されている［１：数学自然表示入出力］の表示モードを設定する。また、図１０（Ａ３）に示すように、前記モード設定のメニュー画面Ｇｍから［２：角度単位］を選択して角度モード設定画面Ｇａを表示させ、［２：弧度法（Ｒ）］の角度モード［Ｒ］(Radian)を選択して設定する。前記設定された表示モード［数学自然表示入出力］と角度モード［Ｒ］を含む設定データは、前記設定データエリア１４ｃに記憶される（ステップＳ１）。
【００９７】
また、図１０（Ａ４）（Ａ５）に示すように、基本計算モードを設定し、変数「Ａ」として数値「２」を入力し、積分の計算式「∫(0-π/2A)ｃｏｓ（Ａｘ）ｄｘ」を入力して表示させる。前記計算モード［基本計算モード］の設定データは、前記設定データエリア１４ｃに記憶され、前記入力された変数の数値「Ａ（＝２）」、積分の計算式「∫(0-π/2A)ｃｏｓ（Ａｘ）ｄｘ」は、入力データエリア１４ｄに記憶される（ステップＳ２〜Ｓ５）。
【００９８】
ここで、［＝］キーの操作により前記設定データエリア１４ｃに記憶された設定データと前記入力データエリア１４ｄに記憶された入力データとに応じた計算が実行されると（ステップＳ７（Ｙｅｓ））、前記変数の数値「Ａ（＝２）」を前記積分の計算式に代入して計算された計算結果データ「１／２」が表示出力部１２に表示される（ステップＳ８）。
【００９９】
なお、前記関数電卓１０Ｆは、図１０（Ａ６）に示すように、［ＡＣ］キーの操作に応じて、当該キー操作に直前に表示されていたデータ（ここでは、前記積分の計算式と計算結果のデータ（図１０（Ａ５）参照））を消去した場合でも、当該表示を消去したデータに関する前記設定データと入力データを含む作業データを、前記設定データエリア１４ｃと入力データエリア１４ｄをリプレイバッファとして、次の新たなデータが入力されるまで保持している。
【０１００】
このため、前記［ＡＣ］キーにより表示を消去した後に、図１０（Ａ７）に示すように、カーソルキー［↓］１１４を操作してリプレイを指示した場合には、前記各データエリア１４ｃ，１４ｄに保持されている設定データと入力データに応じて前記積分の計算式を復活して再表示させることができ、［＝］キーの操作により再度計算を実行して計算結果「１／２」を表示させることができる。そして、前記教師用の関数電卓１０ＦＡにより計算処理した前記設定データと入力データと計算結果データが表示された状態で、後述の通信割込み処理図６により前記タブレット端末２０からのアップロード通知が受信されると（ステップＤ１（Ｙｅｓ））、前記無線通信部１６の通信データにセットされているＱＲデータ（固有ＩＤ＋作業データ）が配布データとして前記タブレット端末２０に送信される（ステップＤ２）。そして、前記教師用の関数電卓１０ＦＡにより計算処理した前記設定データと入力データと計算結果データを含む作業データを、後述する生徒用の関数電卓１０ＦＢに対する配布データとして前記タブレット端末２０にバックアップすることができる。
【０１０１】
なお、図１０（Ａ７´）に示すように、前記［ＱＲ／通信］キー１１Ｑが操作されると（ステップＳ９（Ｙｅｓ））、前記教師用の関数電卓１０ＦＡにより計算処理した場合と同様に、当該生徒用関数電卓１０ＦＢの固有ＩＤと前記設定データと入力データと計算結果データを含む作業データが前記ＱＲデータとして前記ＱＲデータエリア１４ｆに記憶され保存される（ステップＳ１０）。
【０１０２】
すると、前記ＱＲデータ（固有ＩＤ＋作業データ）に対応した２次元コード（ＱＲコード）Ｑが作成され、表示出力部１２に表示される（ステップＳ１１）。
【０１０３】
また、前記ＱＲデータ（固有ＩＤ＋作業データ）は前記無線通信部１６の通信データとしてセットされ、前記専用アプリケーションプログラム（ＥＤＵＣＡＴＩＯＮプログラム２３ｃ）を起動したタブレット端末２０に送信されたか否か判断される（ステップＳ１３）。
【０１０４】
このように、前記生徒用の関数電卓１０ＦＢにおける計算処理の過程において、前記タブレット端末２０に保存した配布データを当該生徒用の関数電卓１０ＦＢに配布して生徒に学習させるため、前記タブレット端末２０での専用アプリケーションプログラム（ＥＤＵＣＡＴＩＯＮプログラム２３ｃ）の起動により当該タブレット端末２０の表示出力部２１に表示させたモード選択メニュー「アップロードモード／ダウンロードモード／バックアップデータ返却モード」(図示せず)において、「ダウンロードモード」を選択する（ステップＴ１３（Ｙｅｓ））。
【０１０５】
すると、前記バックアップデータエリア２３ｄに保存されている配布データの一覧が、例えば前記図３（Ｂ３）で示したように、バックアップデータ一覧ＬＢとして表示出力部２１に表示される（ステップＴ１４）。
【０１０６】
前記バックアップデータ一覧ＬＢとして表示された配布データの中から、前記生徒用の関数電卓１０ＦＢに配布したい配布データ（ここでは、まりこ先生の配布データ）を指定し、図１０（Ｂ１）に示すように、当該タブレット端末２０を前記生徒用の関数電卓１０ＦＢに接近させて通信接続させる（ステップＴ１５）。
【０１０７】
すると、前記タブレット端末２０から前記生徒用の関数電卓１０ＦＢに対して、ダウンロード通知（前記関数電卓１０ＦＢに配布データを送信する旨の通知）が行われる（ステップＴ１６）。
【０１０８】
前記生徒用の関数電卓１０ＦＢにおいて、前記タブレット端末２０からのダウンロード通知が受信されると（ステップＤ３（Ｙｅｓ））、前記設定データエリア１４ｃに記憶されている現在の計算処理の状態に応じた設定データが前記タブレット端末２０に送信される（ステップＤ４）。
【０１０９】
前記タブレット端末２０において、前記生徒用の関数電卓１０ＦＢから送信された設定データが受信されると（ステップＴ１７）、受信された前記生徒用関数電卓１０ＦＢの設定データと前記バックアップデータ一覧ＬＢから指定した配布データ（教師用関数電卓１０ＦＡで作成した作業データ）に含まれる設定データとが同じか否（異なる）かが判断される（ステップＴ１８）。
【０１１０】
ここで、生徒用関数電卓１０ＦＢの設定データと前記指定した配布データに含まれる設定データとが異なると判断された場合は（ステップＴ１８（Ｎｏ））、前記生徒用関数電卓１０ＦＢでの設定データに応じた作業データが変更により失われてしまうのを防止する目的で、図１０（Ｂ１）に示すように、前記生徒用関数電卓１０ＦＢに現在ある作業データのバックアップを促すデータ保管メッセージ「データをバックアップしますか？ＹＥＳ：［ＥＸＥ］／ＮＯ：［ＡＣ］」ＢＭが表示出力部２１に表示される（ステップＴ１９）。
【０１１１】
前記データ保管メッセージＢＭに従い「ＹＥＳ：［ＥＸＥ］」がタッチされ前記作業データの保管が指定されると（ステップＴ１９（Ｙｅｓ））、前記生徒用の関数電卓１０ＦＢに対して、バックアップ通知（前記関数電卓１０ＦＢ内の作業データをバックアップ（保管）するために受信したい旨の通知）が行われる（ステップＴ２０）。
【０１１２】
前記生徒用の関数電卓１０ＦＢにおいて、前記タブレット端末２０からのバックアップ通知が受信されると（ステップＤ５（Ｙｅｓ））、当該関数電卓１０ＦＢの固有ＩＤと、前記各データエリア１４ｃ，１４ｄ，１４ｅに記憶されている現在の計算処理の状態に応じた設定データ，入力データ，計算結果データを含む作業データが、前記タブレット端末２０に送信される（ステップＤ６）。
【０１１３】
前記タブレット端末２０において、前記生徒用の関数電卓１０ＦＢから送信された固有ＩＤと作業データが受信されると（ステップＴ２１）、受信完了メッセージｍが表示され、当該受信された固有ＩＤと受信日時とに対応付けて、前記受信された作業データが、前記バックアップデータエリア２３ｄに保管データとして記憶され保存される（ステップＴ２２）。
【０１１４】
すると、前記ステップＳ１４，Ｓ１５においてバックアップデータ一覧ＬＢ（図９（Ｂ３）参照）から指定した配布データ（ここでは、まりこ先生の配布データ）が前記バックアップデータエリア２３ｅから読み出され、前記生徒用の関数電卓１０ＦＢに送信される（ステップＴ２３）。
【０１１５】
一方、前記ステップＴ１８において、前記生徒用関数電卓１０ＦＢの設定データと前記指定した配布データに含まれる設定データとが同じと判断された場合は（ステップＴ１８（Ｙｅｓ））、前記生徒用関数電卓１０ＦＢに現在ある作業データのバックアップ（Ｔ１９〜Ｔ２２）をすることなく、前記指定した配布データが前記バックアップデータエリア２３ｅから読み出され、前記生徒用の関数電卓１０ＦＢに送信される（ステップＴ２３）。
【０１１６】
なお、前記生徒用関数電卓１０ＦＢでは、前記タブレット端末２０からダウンロード通知が受信されると（ステップＤ３（Ｙｅｓ））、先ず、前記設定データエリア１４ｃに記憶されている設定データを前記タブレット端末２０に送信する（ステップＤ４）。前記タブレット端末２０では、前記関数電卓１０ＦＢから受信した設定データが前記バックアップデータ一覧ＬＢから指定した配布データに含まれる設定データと異なる場合（ステップＴ１８（Ｎｏ））に、前記生徒用関数電卓１０ＦＢにバックアップ通知を行ない（ステップＴ１９，Ｔ２０）、前記生徒用関数電卓１０ＦＢから送信（ステップＤ５，Ｄ６）された作業データを受信（ステップＴ２１）して保管データとして保存する（ステップＴ２２）ようにした。
【０１１７】
これに対し、前記生徒用関数電卓１０ＦＢでは、前記図６の破線矢印Ｄｘに示すように、前記タブレット端末２０からダウンロード通知が受信された場合（ステップＤ３（Ｙｅｓ））、前記設定データの送信処理（ステップＤ４）を行なうことなく、固有データと作業データを前記タブレット端末２０に送信する（ステップＤ６）。そして、前記タブレット端末２０では、前記生徒用関数電卓１０ＦＢに対するダウンロード通知を行なった（ステップＴ１６）直後に前記生徒用関数電卓１０ＦＢから受信された固有ＩＤと作業データを受信し（ステップＴｘ１）、当該受信された作業データに含まれる設定データが前記バックアップデータ一覧ＬＢから指定した配布データに含まれる設定データと異なる場合（ステップＴ１８（Ｎｏ））に、当該受信した固有データと作業データをそのまま保管データとして保存する（ステップＴ１９→Ｔｘ２→Ｔ２２）。前記受信された作業データに含まれる設定データが前記指定した配布データに含まれる設定データと同じである場合（ステップＴ１８（Ｙｅｓ））は、前記受信した固有データと作業データは破棄して前記バックアップデータ一覧ＬＢから指定した配布データを前記生徒用関数電卓１０ＦＢに送信する(ステップＴ２３)ようにしてもよい。
【０１１８】
また、前記タブレット端末２０では、前記生徒用関数電卓１０ＦＢから受信した設定データと前記バックアップデータ一覧ＬＢから指定した配布データに含まれる設定データとが異なる場合に（ステップＴ１８（Ｎｏ））、図１０（Ｂ１）で示したように、前記生徒用関数電卓１０ＦＢに現在ある作業データのバックアップを促すデータ保管メッセージＢＭを表示出力部２１に表示させる（ステップＴ１９）ようにした。
【０１１９】
これに対し、前記タブレット端末２０から前記生徒用関数電卓１０ＦＢに対して、先ず、前記指定した配布データに含まれる設定データだけを送信する。そして、前記生徒用関数電卓１０ＦＢにおいて、前記タブレット端末２０から受信された前記配布データに含まれる設定データと当該生徒用関数電卓１０ＦＢの設定データエリア１４ｃに記憶されている設定データとが異なると判断された場合に、図１０（Ｂ１´）に示すように、当該生徒用関数電卓１０ＦＢに現在ある作業データのバックアップを促すデータ保管メッセージＢＭを表示出力部１２に表示させ、当該作業データを前記タブレット端末２０に送信するようにしてもよい。
【０１２０】
前記生徒用の関数電卓１０ＦＢにおいて、前記タブレット端末２０から送信された配布データ（ここでは、まりこ先生の配布データ）が受信されると、当該配布データである前記数表計算モードでの作業データに含まれる設定データと入力データと計算結果データが、各対応する設定データエリア１４ｃと入力データエリア１４ｄと計算結果データエリア１４ｅに設定される（ステップＤ７）。
【０１２１】
すると、前記各データエリア１４ｃ〜１４ｅに設定された前記配布データである作業データに従い、当該作業データに応じた数表計算モードに移行され、図１０（Ｂ２）に示すように、当該作業データに対応した計算式や計算結果のデータがダウンロード画面ＤＮｅとして表示出力部１２に表示される（ステップＤ８）。
【０１２２】
この後、前記タブレット端末２０において、他の生徒用関数電卓１０ＦＢに対しても前記同様に配布データをダウンロードＤＮして配布する場合は（ステップＴ２４（Ｎｏ））、前記ステップＴ１６〜Ｔ２３（ステップＤ３〜Ｄ８）の処理が繰り返し実行される。
【０１２３】
これにより、前記生徒用関数電卓１０ＦＢのメモリ容量が小さく限られている場合でも、当該関数電卓１０ＦＢにて計算処理されている作業データを失わせることなく、教師用の関数電卓１０ＦＡで計算処理して用意した学習のための作業データを、前記タブレット端末２０から配布データとして容易にダウンロードＤＮして利用できるようになる。
【０１２４】
なお、上記実施形態では、通信機器である前記タブレット端末２０に、情報表示装置である前記生徒用関数電卓の第１作業データの第１設定データを送信し、通信機器が受信した第１設定データと配布データの設定データとが異なるか否かを判別するようにした。
【０１２５】
これに対して通信機器が配布データを情報表示装置に送信する前に、配布データの設定データのみを情報表示装置に送信し、情報表示装置が配布データの設定データとが異なるか否かを判別するようにしてもよい。そして異なる場合に、情報表示装置が第１作業データを通信機器に送信して保管させるようにしてもよい。
【０１２６】
このように、前記生徒用の関数電卓１０ＦＢに対して、前記教師用の関数電卓１０ＦＡで用意した作業データを、前記タブレット端末２０からの配布データとしてダウンロードＤＮして学習させた後に、当該タブレット端末２０にバックアップされている保管データを前記生徒用の関数電卓１０ＦＢに返却して復帰させるため、当該タブレット端末２０での専用アプリケーションプログラム（ＥＤＵＣＡＴＩＯＮプログラム２３ｃ）の起動により当該タブレット端末２０の表示出力部２１に表示させたモード選択メニュー「アップロードモード／ダウンロードモード／バックアップデータ返却モード」(図示せず)において、前記「バックアップデータ返却モード」を選択する（ステップＴ２５（Ｙｅｓ））。
【０１２７】
そして、図１０（Ｂ３）に示すように、前記タブレット端末２０を前記生徒用の関数電卓１０ＦＢに接近させて通信接続させると、当該タブレット端末２０から前記生徒用の関数電卓１０ＦＢに対して、バックアップ（保管）データ返却通知が行われる（ステップＴ２６）。
【０１２８】
前記生徒用の関数電卓１０ＦＢにおいて、前記タブレット端末２０からのバックアップ（保管）データ返却通知が受信されると（ステップＤ９（Ｙｅｓ））、当該関数電卓１０ＦＢの固有ＩＤが前記タブレット端末２０に送信される（ステップＤ１０）。
【０１２９】
前記タブレット端末２０において、前記生徒用の関数電卓１０ＦＢから送信された固有ＩＤが受信されると（ステップＴ２７）、当該固有ＩＤに対応付けられた保管データが前記バックアップデータエリア２３ｄに保存されているか否かが判断される（ステップＴ２８）。
【０１３０】
ここで、前記生徒用の関数電卓１０ＦＢの固有ＩＤに対応付けられた保管データが前記バックアップデータエリア２３ｄに保存されていると判断された場合は（ステップＴ２８（Ｙｅｓ））、当該保管データの返却を促すデータ返却メッセージ「データを戻しますか？ＹＥＳ：［ＥＸＥ］／ＮＯ：［ＡＣ］」ＲＭが表示出力部２１に表示される。
【０１３１】
そして、前記データ返却メッセージＲＭに従い「ＹＥＳ：［ＥＸＥ］」がタッチされ前記保管データの返却が指定されると、前記生徒用の関数電卓１０ＦＢに対して保管データありの通知が行われた後、前記生徒用の関数電卓１０ＦＢの固有ＩＤに対応付けられて前記バックアップデータエリア２３ｄに保存されている保管データが読み出され、前記生徒用の関数電卓１０ＦＢに送信される（ステップＴ２９）。
【０１３２】
一方、前記ステップＴ２８において、前記生徒用の関数電卓１０ＦＢの固有ＩＤに対応付けられた保管データが前記バックアップデータエリア２３ｄに保存されていないと判断された場合は（ステップＴ２８（Ｎｏ））、エラーメッセージが表示され前記保管データの保存無しが報知される（ステップＴ３０）。
【０１３３】
なお、前記タブレット端末２０では、前記生徒用関数電卓１０ＦＢから受信した固有ＩＤに対応付けられた保管データが前記バックアップデータエリア２３ｄに保存されていると判断された場合に（ステップＴ２８（Ｙｅｓ））、図１０（Ｂ３）で示したように、当該保管データの返却を促すデータ返却メッセージＲＭを表示出力部２１に表示させるようにした。
【０１３４】
これに対し、前記タブレット端末２０から前記生徒用関数電卓１０ＦＢに対して、先ず、前記バックアップデータエリア２３ｄに保存されている保管データに対応付けられた固有ＩＤを送信する。そして、前記生徒用関数電卓１０ＦＢにおいて、前記タブレット端末２０から受信された固有ＩＤと当該関数電卓１０ＦＢの固有ＩＤとが同じであると判断された場合に、図１０（Ｂ３´）に示すように、前記保管データの返却を促すデータ返却メッセージＲＭを表示出力部１２に表示させ、当該保管データを前記タブレット端末２０から送信させるようにしてもよい。
【０１３５】
前記生徒用の関数電卓１０ＦＢにおいて、前記タブレット端末２０から送信された保管データ（ここでは、図１０（Ａ１）〜（Ａ７）で示した基本計算モードでの積分計算の作業データ）が受信されると、当該保管データである前記基本計算モードでの作業データに含まれる設定データと入力データと計算結果データが、各対応する設定データエリア１４ｃと入力データエリア１４ｄと計算結果データエリア１４ｅに設定される（ステップＤ１２）。
【０１３６】
すると、前記各データエリア１４ｃ〜１４ｅに設定された前記保管データである作業データに従い、当該作業データに応じた基本計算モードに移行され、図１０（Ｂ４）に示すように、当該作業データに対応した積分の計算式や計算結果のデータがリターン画面ＤＮｂとして表示出力部１２に表示される（ステップＤ１３）。
【０１３７】
この後、前記タブレット端末２０において、他の生徒用関数電卓１０ＦＢに対しても前記同様にバックアップ（保管）データを返却する場合は（ステップＴ３１（Ｎｏ））、前記ステップＴ２６〜Ｔ３０（ステップＤ９〜Ｄ１３）の処理が繰り返し実行される。
【０１３８】
これにより、前記教師用の関数電卓１０ＦＡで計算処理して用意した作業データを利用した学習中に、前記タブレット端末２０にバックアップ（保管）して保存していた前記生徒用の関数電卓１０ＦＢにて計算処理されていた作業データを、当該生徒用の関数電卓１０ＦＢに容易且つ正しく返却して復帰させることができる。
【０１３９】
なお、前記生徒用の関数電卓１０ＦＢにおいて、前記図１０（Ａ６）で示したように、［ＡＣ］キーの操作により表示を消去して次のデータ入力が行われていない状態では、前述したように、当該表示を消去したデータに関する前記設定データと入力データを含む作業データを、前記設定データエリア１４ｃと入力データエリア１４ｄをリプレイバッファとして保持している。
【０１４０】
このため、前記［ＡＣ］キーの操作により表示を消去した状態で前記ダウンロードモードに設定された前記タブレット端末２０との通信接続が行われた場合でも、前記同様に、前記関数電卓１０ＦＢの固有ＩＤと、前記各データエリア１４ｃ，１４ｄに記憶されている現在の計算処理の状態に応じた設定データ，入力データを含む作業データが、前記タブレット端末２０に送信され（ステップＤ３〜Ｄ６）、前記タブレット端末２０のバックアップデータエリア２３ｄに保管データとして保存される（ステップＴ１３〜Ｔ２２）。
【０１４１】
これにより、前記タブレット端末２０をバックアップ（保管）データ返却モードに設定して前記生徒用の関数電卓１０ＦＢに対する前記保管データの返却を行なえば（ステップＴ２５〜Ｔ２９）、前記同様に、当該生徒用の関数電卓１０ＦＢでは、前記設定データエリア１４ｃと入力データエリア１４ｄに元の作業データが復帰して設定され、前記図１０（Ａ７）で示したように、前記元の作業データに対応した計算式を表示させることができる（ステップＤ９〜Ｄ１３）。
【０１４２】
したがって、前記構成の情報表示装置としての関数電卓１０Ｆと通信機器としてのタブレット端末２０によれば、教師用関数電卓１０ＦＡでの計算処理に応じた設定データと入力データを含む作業データを、アップロードモードにしたタブレット端末２０と通信接続することで、当該タブレット端末２０に前記教師用関数電卓１０ＦＡの作業データをアップロードＵＰして生徒用関数電卓１０ＦＢに配布するための配布データとして保存する。
【０１４３】
そして、前記生徒用関数電卓１０ＦＢに前記タブレット端末２０をダウンロードモードにして通信接続させると、当該生徒用関数電卓１０ＦＢでの計算処理に応じた設定データが前記タブレット端末２０に保存した配布データに含まれる設定データと異なる場合は、当該生徒用関数電卓１０ＦＢでの設定データと入力データを含む作業データが固有ＩＤを対応付けて前記タブレット端末２０にバックアップ（保管）データとして保存された後、前記配布データが前記生徒用関数電卓１０ＦＢにダウンロードＤＮされ当該配布データである作業データを利用して学習可能な状態になる。前記生徒用関数電卓１０ＦＢでの計算処理に応じた設定データが前記タブレット端末２０に保存した配布データに含まれる設定データと同じ場合は、前記生徒用関数電卓１０ＦＢの作業データのバックアップ（保管）は行われず、前記配布データが前記生徒用関数電卓１０ＦＢにダウンロードＤＮされる。
【０１４４】
これにより、前記生徒用の関数電卓１０ＦＢで計算処理している重要な作業データが失われることなしに、前記教師用の関数電卓１０ＦＡで用意した学習用の作業データを前記生徒用の関数電卓１０ＦＢに読み込ませて学習させることができる。
【０１４５】
よって、メモリ容量が限られた前記関数電卓１０Ｆ等の情報表示装置であっても、適切に新たな作業データをダウンロードして利用することが可能になる。
【０１４６】
また、前記構成の情報表示装置としての関数電卓１０Ｆと通信機器としてのタブレット端末２０によれば、前記生徒用関数電卓１０ＦＢに前記タブレット端末２０をバックアップ（保管）データ返却モードにして通信接続させると、前記タブレット端末２０に前記通信接続された生徒用関数電卓１０ＦＢの固有ＩＤに対応付けられた保管データが保存されている場合に、当該保管データを前記生徒用関数電卓１０ＦＢに送信して返却する。
【０１４７】
これにより、前記生徒用の関数電卓１０ＦＢにおいて、前記教師が用意した作業データを利用して学習した後は、当該学習前に計算処理していた作業データを間違いなく復帰させることができる。
【０１４８】
なお、前記各実施形態において記載した情報表示装置（１０Ｆ／１０ＦＡ／１０ＦＢ）と通信機器（２０）による各処理の手法、すなわち、図５のフローチャートに示す情報表示制御処理、図６のフローチャートに示す情報表示制御処理（通信割込み処理）、図７，図８のフローチャートに示す通信処理等の各手法は、何れもコンピュータに実行させることができるプログラムとして、メモリカード（ＲＯＭカード、ＲＡＭカード等）、磁気ディスク（フロッピー（登録商標）ディスク、ハードディスク等）、光ディスク（ＣＤ−ＲＯＭ、ＤＶＤ等）、半導体メモリ等の記録媒体に格納して配布することができる。また、前記各手法を実現するためのプログラムのデータは、プログラムコードの形態として通信ネットワークＮ上を伝送させることができ、このプログラムデータを、通信ネットワークＮに接続された電子機器のコンピュータに通信部によって取り込むことで、前述した作業データのアップロード機能、ダウンロード機能、バックアップ（保管）データ返却機能を実現することもできる。また前記実施例では配布用の作業データは先生の電卓で作成され、無線でタブレット端末に受信してタブレット端末本体のメモリに記憶することとしたが、配布用の作業データをネット上のデータベース（クラウド）に記憶させて、必要に応じでタブレット端末に一時的に記憶して利用するようにしても良い。またなお予めネット上のデータベース（クラウド）に学習用の作業データが配布用のデータとして記憶されていて、ネット上のデータベース（クラウド）からダウンロードしてタブレット端末に記憶して利用するようにしても良い。
【０１４９】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１５０】
以下に、本願出願の当初の特許請求の範囲に記載された発明を付記する。
【０１５１】
［１］
第１の設定データを含む第１の作業データを記憶している情報表示装置から前記第１の作業データを受信する第１作業データ受信手段と、
第２の設定データを含む第２の作業データを記憶している第２作業データ記憶手段と、
前記第１の設定データと前記第２の設定データとが異なる場合に、前記受信された第１の作業データを保管データとして登録する保管データ登録手段と、
を備えたことを特徴とする通信機器。
【０１５２】
［２］
前記第１の設定データと前記第２の設定データとが異なる場合は、前記保管データを登録した後に前記第２の作業データを前記情報表示装置に送信し、前記第１の設定データと前記第２の設定データとが同じ場合は、前記保管データを登録することなしに、前記第２の作業データを前記情報表示装置に送信する配布データ送信手段を、
備えたことを特徴とする［１］に記載の通信機器。
【０１５３】
［３］
前記第１の設定データと前記第２の設定データとが異なるか否かを判断する判断手段を備えた、
ことを備えたことを特徴とする［１］に通信機器。
【０１５４】
［４］
前記設定データは、計算モード、角度モード、丸めモードのうち、何れかのモードの設定データを含む、
ことを特徴とする［２］に記載の通信機器。
【０１５５】
［５］
前記第１作業データ受信手段は、前記情報表示装置から前記情報表示装置の識別情報と第１の作業データとを受信し、
前記保管データ登録手段は、前記第１作業データ受信手段により受信された前記情報表示装置の識別情報に対応付けて前記第１の作業データを保管データとして登録する、
ことを特徴とする［１］又は［２］に記載の通信機器。
【０１５６】
［６］
前記保管データ登録手段により登録された保管データを、前記情報表示装置に送信する保管データ送信手段を備えた、
ことを特徴とする［１］乃至［５］の何れかに記載の通信機器。
【０１５７】
［７］
前記第１作業データ受信手段及び前記配布データ送信手段は、近距離無線通信手段を備えた、ことを特徴とする［２］又は［４］に記載の通信機器。
【０１５８】
［８］
通信機器を制御するための通信方法であって、
第１の設定データを含む第１の作業データを記憶している情報表示装置から前記第１の作業データを受信し、
第２の設定データを含む第２の作業データを記憶し、
前記第１の設定データと前記第２の設定データとが異なる場合に、前記受信された第１の作業データを保管データとして登録する、
ことを特徴とする通信方法。
【０１５９】
［９］
通信機器のコンピュータを制御するためのプログラムであって、
前記コンピュータを、
第１の設定データを含む第１の作業データを記憶している情報表示装置から前記第１の作業データを受信する第１作業データ受信手段と、
第２の設定データを含む第２の作業データを記憶している第２作業データ記憶手段と、
前記第１の設定データと前記第２の設定データとが異なる場合に、前記受信された第１の作業データを保管データとして登録する保管データ登録手段、
として機能させるためのプログラム。
【０１６０】
［１０］
第１の設定データを含む第１の作業データを記憶している作業データ記憶手段と、
第２の設定データを含む第２の作業データを記憶している通信機器から前記第２の作業データの送信通知を受信する送信通知受信手段と、
前記送信通知受信手段による送信通知の受信に応じて、前記第１の作業データに含まれる第１の設定データと前記第２の作業データに含まれる第２の設定データとが異なる場合は、前記作業データ記憶手段により記憶した第１の作業データを前記通信機器に送信する作業データ送信手段と、
を備えたことを特徴とする情報表示装置。
【０１６１】
［１１］
前記送信通知受信手段による送信通知の受信に応じて、前記第１の作業データに含まれる第１の設定データと前記第２の作業データに含まれる第２の設定データとが異なる場合は、前記作業データ送信手段による送信後に、前記通信機器から第２の作業データを受信し、前記第１の作業データに含まれる第１の設定データと前記第２の作業データに含まれる第２の設定データとが同じ場合は、前記作業データ記憶手段により記憶した第１の作業データを送信せずに、前記通信機器から第２の作業データを受信する作業データ受信手段を、
備えたことを特徴とする［１０］に記載の情報表示装置。
【０１６２】
［１２］
前記第１の作業データに含まれる第１の設定データと前記第２の作業データに含まれる第２の設定データとが異なるか否かを判別する判別手段を、
備えたことを特徴とする［１０］又は［１１］に記載の情報表示装置。
【０１６３】
［１３］
前記作業データ送信手段は、前記送信通知受信手段による送信通知の受信に応じて前記作業データ記憶手段により記憶した第１の作業データを本装置の識別情報に対応付けて前記通信機器に送信し、
前記作業データ受信手段は、前記作業データ送信手段による送信後に、前記通信機器から第２の作業データを受信し、
前記作業データ受信手段により、前記通信機器から第２の作業データを受信した後に、前記通信機器から前記本装置の識別情報に対応付けられた第１の作業データを受信する返却データ受信手段を備えた、
ことを特徴とする［１１］に記載の情報表示装置。
【０１６４】
［１４］
前記作業データ記憶手段により記憶された第１の作業データを表示部に表示させるデータ表示手段と、
ユーザ操作に応じて前記表示部に表示された第１の作業データを消去する表示消去手段と、
前記表示消去手段により前記表示部に表示された第１の作業データが消去された後に、ユーザ操作に応じて、前記作業データ記憶手段により記憶されている第１の作業データを前記表示部に再表示させるデータ再表示手段と、
を備えたことを特徴とする［１０］乃至［１３］の何れかに記載の情報表示装置。
【０１６５】
［１５］
前記送信通知受信手段及び作業データ送信手段は、近距離無線通信手段を備えた、ことを特徴とする［１０］乃至［１４］の何れかに記載の情報表示装置。
【０１６６】
［１６］
情報表示装置を制御するための情報表示方法であって、
第１の設定データを含む第１の作業データを記憶し、
第２の設定データを含む第２の作業データを記憶している通信機器から前記第２の作業データの送信通知を受信し、
前記送信通知の受信に応じて、前記第１の作業データに含まれる第１の設定データと前記第２の作業データに含まれる第２の設定データとが異なる場合は、前記記憶した第１の作業データを前記通信機器に送信する、
ことを特徴とする情報表示方法。
【０１６７】
［１７］
情報表示装置のコンピュータを制御するためのプログラムであって、
前記コンピュータを、
第１の設定データを含む第１の作業データを記憶している作業データ記憶手段と、
第２の設定データを含む第２の作業データを記憶している通信機器から前記第２の作業データの送信通知を受信する送信通知受信手段と、
前記送信通知受信手段による送信通知の受信に応じて、前記第１の作業データに含まれる第１の設定データと前記第２の作業データに含まれる第２の設定データとが異なる場合は、前記作業データ記憶手段により記憶した第１の作業データを前記通信機器に送信する作業データ送信手段、
として機能させるためのコンピュータ読み込み可能なプログラム。
【符号の説明】
【０１６８】
１０Ｆ…情報表示装置（関数電卓）
１０Ｄ…情報表示装置（電子辞書装置）
１１  …キー入力部
１１１…数値・演算記号キー群
１１２…関数機能キー群
１１３…モード設定キー群
１１４…カーソルキー
１２  …表示出力部
１３  …ＣＰＵ
１４  …メモリ
１４ａ…表示制御プログラム
１４ｂ…固有ＩＤ
１４ｃ…設定データエリア
１４ｄ…入力データエリア
１４ｅ…計算結果データエリア
１４ｆ…ＱＲデータエリア
１６  …無線通信部
２０  …通信機器（カメラ付きタブレット端末等）
２１  …表示出力部
２２  …ＣＰＵ
２３  …メモリ
２３ａ…通信機器制御プログラム
２３ｂ…ＱＲコードリーダプログラム
２３ｃ…ＥＤＵＣＡＴＩＯＮプログラム
２３ｄ…バックアップデータエリア
２３ｅ…ワークデータエリア
２５  …タッチ入力部
２６  …カメラ部
２７  …無線通信部
２８  …近距離無線通信部
３０  …計算サーバ
Ｎ    …通信ネットワーク（Ｗｅｂ）
Ｇｄ  …表示モード設定画面
Ｇａ  …角度モード設定画面
Ｇｋ  …表示桁数（丸めモード）設定画面
ＬＢ  …バックアップデータ一覧
ＢＭ  …データ保管メッセージ
ＲＭ  …データ返却メッセージ
ＤＮｅ…ダウンロード画面
ＤＮｂ…リターン画面
【図１】
0006728841.tif 000002
【図２】
0006728841.tif 000003
【図３】
0006728841.tif 000004
【図４】
0006728841.tif 000005
【図５】
0006728841.tif 000006
【図６】
0006728841.tif 000007
【図７】
0006728841.tif 000008
【図８】
0006728841.tif 000009
【図９】
0006728841.tif 000010
【図１０】
0006728841.tif 000011